(57)【特許請求の範囲】
【請求項１】
環状口頸部を有しかつ内部に第一の物質が収容される容器本体の該口頸部内に装着されかつ第二の物質が収容される物質収容体であって、
上端に半径方向外方に延びるフランジ部が形成された筒状側壁及び薄肉部により囲まれた開封予定部が形成された底壁を有しかつ該第二の物質が収容される収容本体と、該収容本体を密封する閉塞体とからなり、
該閉塞体は、内側にカッタ部が形成された中央部、環状基部及び、該中央部と該環状基部との間に配設された弾性変形部を含むと共に該環状基部が該筒状側壁の上部を閉塞するように該収容本体に対し一体的に装着され、該カッタ部は、該中央部から該底壁の該開封予定部に向かって延びかつ下端が該開封予定部に対向するよう形成され、
該閉塞体における該環状基部には該環状基部の内周縁から上方に延びる基部円筒壁が形成され、該閉塞体における該中央部には中央部円筒壁が形成され、該弾性変形部は、該基部円筒壁の上端から半径方向内方に延びる下環状壁と、該下環状壁の内周縁から上方に延びる中間円筒壁と、該中間円筒壁の上端から半径方向内方に延びて該中央部円筒壁に接続される上環状壁とを有し、該下環状壁及び該上環状壁は薄肉であって柔軟であるよう形成され、
該収容本体の該筒状側壁における該フランジ部が該口頸部の上端面に載置されるよう構成されることにより、実質上該口頸部内への装着が離脱自在にせしめられると共に該口頸部に装着されて保持せしめられ、
該口頸部内に装着された状態で該閉塞体の該中央部を該開封予定部に向けて押圧すると、該弾性変形部の変形により該カッタ部が該開封予定部に作用して該薄肉部が破断され、該第二の物質が該容器本体内に流出されて該第一の物質と混合せしめられる、
ことを特徴とする物質収容体。
【請求項２】
該収容本体の該筒状側壁における上端部の内周面には環状係止凹部が形成され、該閉塞体の該環状基部の周縁部は被係止部を構成し、該被係止部が該係止凹部に嵌合されて係止されることにより、該閉塞体は該収容本体に装着される、請求項１記載の物質収容体。
【請求項３】
該収容本体の該底壁における該開封予定部は、該底壁の軸心部から相互に所定の角度をもって半径方向に延びる複数の半径方向薄肉部と、該半径方向薄肉部の各々の外端を連結するように延在する環状薄肉部とからなる該薄肉部により形成されている、請求項１又は請求項２記載の物質収容体。
【請求項４】
請求項１〜３のいずれか１項に記載の該物質収容体と、該容器本体の該口頸部の外周面に離脱自在に装着される蓋体とを備え、
該容器本体は、該口頸部の外周面に雄ねじ部が形成された哺乳ビンであり、該蓋体は、天面壁及び該天面壁の周縁から垂下しかつ内周面に雌ねじ部が形成されたスカート壁からなる本体部と、該本体部の該天面壁に装着された乳首とを備えた乳首キャップであり、該第一の物質は該哺乳ビンに収容される湯又は水であり、該物質収容体に収容される該第二の物質は粉ミルクであり、該スカート壁の該雌ねじ部を該口頸部の該雄ねじ部に螺合することにより該乳首キャップは該口頸部の外周面に離脱自在に装着される、
ことを特徴とする混合容器。
【発明の詳細な説明】
【０００１】
【発明の属する技術分野】
本発明は、口頸部を有しかつ内部に第一の物質が収容される容器本体と、口頸部の外周面に離脱自在に装着される蓋体と、容器本体の口頸部内に装着されかつ第二の物質が収容される物質収容体とを備え、物質収容体に収容された第二の物質を容器本体内に流出させて第一の物質と混合させることができる混合容器及びそれに使用される物質収容体に関する。
【０００２】
【従来の技術】
特開平９−６０５号公報には、第一の物質である液体を収容した容器本体と、第二の物質である乳剤を収容した物質収容体（収容体）とからなる乳児用飲料容器が開示されている。容器本体の口頸部（容器首部）の外周面には雄ねじが形成され、口頸部の開口部は剥離可能なシール部材により閉じられている。物質収容体は、貫通孔の内周面に雌ねじが形成された円筒部材と、円筒部材の上端に取り付けられて貫通孔の上方空間を密封するキャップ体とを備えている。キャップ体と円筒部材の貫通孔とは弁体により区切られ（貫通孔の上端は弁体により閉じられ）、キャップ体内には乳剤が収容されている。円筒部材の下端には剥離可能なシール部材が装着され、貫通孔の下端はこのシール部材により閉じられている。内周面に雌ねじが形成された本体部（内側キャップ）と本体部に装着された乳首とからなる乳首キャップの乳首側はカバーキャップ（外側キャップ）により離脱自在にカバーされ、本体部の下端開口は剥離可能なカバーシートにより閉じられている。
【０００３】
上記乳児用飲料容器を使用する場合には、容器本体からシール部材を剥離して口頸部の開口部を開く。そして物質収容体からシール部材を剥離して貫通孔の下端を開口させた後、物質収容体の雌ねじを容器本体の口頸部の雄ねじに螺合させ、回転させる。物質収容体が口頸部に沿って移動することにより、容器本体の口頸部の上端が物質収容体の貫通孔の上端から上方へ相対的に突出するので、弁体が上方に開かれ、物質収容体の貫通孔の上端が開口する。キャップ体内に収容されている乳剤は容器本体内に収容されている液体の中に落下する。物質収容体を容器本体の口頸部に螺合した状態で容器本体を物質収容体と共に振動させ、乳剤と液体とを混合させる。これにより乳児用飲料が生成される。混合が終了した後、物質収容体を容器本体の口頸部から取り外す。次いで、乳首キャップのカバーシートを剥離して本体部の下端開口を開いた後、本体部の雌ねじを容器本体の口頸部の雄ねじに螺合させることにより、乳首キャップを容器本体に装着する。そして乳首キャップからカバーキャップを取り外すことにより、容器本体内の乳児用飲料を授乳することができる。
【０００４】
【発明が解決しようとする課題】
而して上記従来の混合容器である乳児用飲料容器は次のような解決すべき課題を有している。
（１）乳剤を収容する物質収容体は、容器本体の口頸部に内蔵することができないので、常に容器とは独立して用意する必要がある。すなわち、容器本体と物質収容体と乳首キャップとを一体にすることができないので、携帯が著しく不便であり、取り扱いが不便である。その結果、例えば乗物内における哺乳等、緊急時の哺乳に際して使いにくい。
（２）使用に際しては、容器本体からシール部材を剥離する、物質収容体からシール部材を剥離する、物質収容体の雌ねじを容器本体の口頸部の雄ねじに螺合させ、回転させて弁体を開く、乳剤と液体とを混合させた後、物質収容体を容器本体の口頸部から取り外す、乳首キャップのカバーシートを剥離する、乳首キャップを容器本体に装着する、乳首キャップからカバーキャップを取り外す等、多数の操作を必要とする。したがって使用に際しての一連の操作が面倒で不便である。
（３）物質収容体内に収容された乳剤を容器本体内に流出するためには、収容体からシール部材を剥離して貫通孔の下端を開口させた後、物質収容体の雌ねじを容器本体の口頸部の雄ねじに螺合させ、回転させる必要がある。したがって、物質収容体内に収容された乳剤を容器本体内に流出させるための操作が面倒で不便である。
（４）物質収容体を容器本体の口頸部に装着し、乳剤と液体とを混合させた後、両者の混合物質が口頸部の上端及び上端部の外周面に付着、残留することが避けられないので、衛生的ではない。
（５）物質収容体は、円筒部材、キャップ体、弁体及びカバーシートから構成されているので、組み立てが比較的困難であり、部品点数も多く、製造コストが高くなる。特に、キャップ体はドーム形状をなしているので、円筒部材に対してシール性を確保しながら装着する作業は比較的面倒となる。更に、乳剤は弁体の上部に収容され、しかも弁体は上方に開くよう構成されているので、乳剤の流出が円滑かつ確実に遂行されず、したがって物質収容体内に乳剤が残留する可能性が高く、乳剤に無駄を生ずることとなる。
【０００５】
本発明は上記事実に基づいてなされたものであり、その目的は、携帯が著しく便利で取扱いが便利である、新規な混合容器及びそれに使用される物質収容体を提供することである。
【０００６】
本発明の他の目的は、使用に際しての一連の操作が簡単で便利である、新規な混合容器及びそれに使用される物質収容体を提供することである。
【０００７】
本発明の更に他の目的は、第二の物質を容器本体内に流出させるための操作が簡単で便利である、新規な混合容器及びそれに使用される物質収容体を提供することである。
【０００８】
本発明の更に他の目的は、混合物質が容器本体の口頸部に付着、残留することのない、新規な混合容器及びそれに使用される物質収容体を提供することである。
【０００９】
本発明の更に他の目的は、第二の物質の流出が充分円滑かつ確実に遂行され、したがって第二の物質が残留することなく、第二の物質に無駄を生ずることのない、新規な混合容器及びそれに使用される物質収容体を提供することである。
【００１０】
本発明の更に他の目的は、部品点数が少なく、製造コストの安い、新規な混合容器及びそれに使用される物質収容体を提供することである。
【００１１】
本発明の更に他の目的は、構成が簡単でありながらシール性の高い、新規な混合容器及びそれに使用される物質収容体を提供することである。
【００１２】
本発明のその他の目的及び特徴は、本発明に従って構成された混合容器及びそれに使用される物質収容体の実施形態について添付図面を参照して詳細に説明する後の記載から明らかになるであろう。
【００１３】
【課題を解決するための手段】
本発明の一局面によれば、
環状口頸部を有しかつ内部に第一の物質が収容される容器本体の該口頸部内に装着されかつ第二の物質が収容される物質収容体であって、上端に半径方向外方に延びるフランジ部が形成された筒状側壁及び薄肉部により囲まれた開封予定部が形成された底壁を有しかつ該第二の物質が収容される収容本体と、該収容本体を密封する閉塞体とからなり、該閉塞体は、内側にカッタ部が形成された中央部、環状基部及び、該中央部と該環状基部との間に配設された弾性変形部を含むと共に該環状基部が該筒状側壁の上部を閉塞するように該収容本体に対し一体的に装着され、該カッタ部は、該中央部から該底壁の該開封予定部に向かって延びかつ下端が該開封予定部に対向するよう形成され、該閉塞体における該環状基部には該環状基部の内周縁から上方に延びる基部円筒壁が形成され、該閉塞体における該中央部には中央部円筒壁が形成され、該弾性変形部は、該基部円筒壁の上端から半径方向内方に延びる下環状壁と、該下環状壁の内周縁から上方に延びる中間円筒壁と、該中間円筒壁の上端から半径方向内方に延びて該中央部円筒壁に接続される上環状壁とを有し、該下環状壁及び該上環状壁は薄肉であって柔軟であるよう形成され、該収容本体の該筒状側壁における該フランジ部が該口頸部の上端面に載置されるよう構成されることにより、実質上該口頸部内への装着が離脱自在にせしめられると共に該口頸部に装着されて保持せしめられ、該口頸部内に装着された状態で該閉塞体の該中央部を該開封予定部に向けて押圧すると、該弾性変形部の変形により該カッタ部が該開封予定部に作用して該薄肉部が破断され、該第二の物質が該容器本体内に流出されて該第一の物質と混合せしめられる、ことを特徴とする物質収容体、が提供される。
本発明による物質収容体において、該収容本体の該筒状側壁における上端部の内周面には環状係止凹部が形成され、該閉塞体の該環状基部の周縁部は被係止部を構成し、該被係止部が該係止凹部に嵌合されて係止されることにより、該閉塞体は該収容本体に装着される、ことが好ましい。
本発明による物質収容体において、該収容本体の該底壁における該開封予定部は、該底壁の軸心部から相互に所定の角度をもって半径方向に延びる複数の半径方向薄肉部と、該半径方向薄肉部の各々の外端を連結するように延在する環状薄肉部とからなる該薄肉部により形成されている、ことが好ましい。
【００１４】
本発明の他の局面によれば、
上記いずれかの該物質収容体と、該容器本体の該口頸部の外周面に離脱自在に装着される蓋体とを備え、
該容器本体は、該口頸部の外周面に雄ねじ部が形成された哺乳ビンであり、該蓋体は、天面壁及び該天面壁の周縁から垂下しかつ内周面に雌ねじ部が形成されたスカート壁からなる本体部と、該本体部の該天面壁に装着された乳首とを備えた乳首キャップであり、該第一の物質は該哺乳ビンに収容される湯又は水であり、該物質収容体に収容される該第二の物質は粉ミルクであり、該スカート壁の該雌ねじ部を該口頸部の該雄ねじ部に螺合することにより該乳首キャップは該口頸部の外周面に離脱自在に装着される、
ことを特徴とする混合容器、が提供される。
【００１５】
本発明において、物質収容体は、筒状側壁におけるフランジ部が容器本体の口頸部の上端面に載置されることにより実質上口頸部内に離脱自在に装着される。この装着状態で蓋体が口頸部に装着されると、フランジ部は蓋体によって口頸部の上端面に圧接されて保持されるよう構成されているので、容器本体と物質収容体と蓋体とを容易に一体にすることができる。したがって混合容器は携帯に著しく便利であり、取扱いが便利である。その結果、例えば乗物内における哺乳等、緊急時の哺乳には使い易い。更に、混合容器の使用に際しては、容器から蓋体を取り外し、物質収容体の閉塞体の中央部を押圧することにより物質収容体内の第二の物質を容器本体内に流出させて容器本体内の第一の物質と混合せしめた後、口頸部から物質収容体を離脱し、口頸部に蓋体を装着すればよい。したがって混合容器の使用に際しての一連の操作が簡単で便利である。更にはまた、物質収容体が口頸部に装着された状態で、閉塞体の中央部を開封予定部に向けて押圧することにより、物質収容体内の第二の物質を容器本体内に流出させることができる。したがって、物質収容体内に収容された第二の物質を容器本体内に流出させるための操作が簡単で便利である。更にはまた、物質収容体は実質上口頸部内に装着されるので、混合された物質が口頸部内から漏れ出すことがなく、口頸部の上端及びその上端部の外周面に付着、残留することがないので、衛生上の問題は全くない。更にはまた、閉塞体の中央部を開封予定部に向けて押圧することにより、カッタ部が開封予定部に作用して薄肉部が破断される。これにより開封予定部は下方に向けて変位せしめられ、収容本体の底壁が開封されるので、物質収容体内の第二の物質の流出が充分円滑かつ確実に遂行され、したがって第二の物質が残留することなく、第二の物質に無駄を生ずることが防止される。更にはまた、上記の如くフランジ部を口頸部の上端面に載置するのみで物質収容体を実質上口頸部内に離脱自在に装着できるので、既存の容器本体及び蓋体を変更することなく実用化することが可能である。したがって、全体として部品点数が少なく、製造コストが安い。更にはまた、物質収容体の装着状態で蓋体を口頸部に装着すると、フランジ部は蓋体によって口頸部の上端面に圧接されて保持されるので、構成が簡単でありながら高いシール性が確保される。
【００１６】
【発明の実施の形態】
以下、本発明の好適実施形態を図１〜図４を参照して更に詳細に説明する。なお図１〜図４において、同一部分は同一符号で示す。
【００１７】
図１を参照して、混合容器である哺乳用混合容器２は、容器本体である哺乳ビン４、蓋体である乳首キャップ６及び物質収容体である粉ミルク収容体８を備えている。哺乳ビン４は環状口頸部１０を有し、その内部には一般に第一の物質である湯又は水が収容される。口頸部１０の外周面には雄ねじ部１２が形成されている。乳首キャップ６は、天面壁１４及び天面壁１４の周縁から垂下しかつ内周面に雌ねじ部１６が形成されたスカート壁１８からなる本体部２０と、本体部２０の天面壁１４に装着された乳首２２と、乳首２２をカバーするよう本体部２０のスカート壁１８に離脱自在に装着されたカバーキャップ２４とを備えている。図１から明らかなように、乳首２２は、天面壁１４に形成された貫通孔に嵌合され、抜け出さないように保持されている。乳首２２の下端を規定するフランジ部２６は底壁１４の下面側に位置付けられている。口頸部１０の雄ねじ部１２にスカート壁１８の雌ねじ部１６を螺合させることにより、乳首キャップ６は哺乳ビン４に離脱自在に装着される。哺乳ビン４及び乳首キャップ６は、各々それ自体周知の市販品でよく、したがって詳細な説明は省略する。
【００１８】
図２及び図３を参照して、第二の物質である粉ミルクが収容される粉ミルク収容体８（以下、単に収容体８と略称する）は、収容本体３０と、収容本体３０を密封する閉塞体３２とからなる。適宜の合成樹脂から一体に成形することができる収容本体３０は、筒状側壁３４及び底壁３６を有している。筒状側壁３４は、小径部３８と小径部３８の上端部に形成された大径部４０を有し、大径部４０の上端、したがって筒状側壁３４の上端には半径方向外方に延びる環状のフランジ部４２が形成されている。フランジ部４２は、哺乳ビン４の口頸部１０の上端面に載置されたときに、乳首キャップ６の、口頸部１０への装着を妨げないよう、その外径が規定されている。筒状側壁３４の大径部４０の下端には環状係止凹部４４が形成されている。環状係止凹部４４の下面は大径部４０と小径部３８との間に形成される環状の水平段部４６に連続せしめられている。大径部４０の外径は、哺乳ビン４の口頸部１０の内周面に対し相対移動自在に密着しうる大きさに規定されている。
【００１９】
底壁３６の中央部には、破断可能な薄肉部により囲まれた開封予定部５０が形成されている。開封予定部５０は、底壁３６の軸心部から相互に所定の角度をもって半径方向に延びる複数の半径方向薄肉部５２と、半径方向薄肉部５２の各々の外端を連結するように延在する環状薄肉部５４とからなる薄肉部により形成されている。半径方向薄肉部５２は、図３から明らかなように、この実施形態においては相互に６０°の角度をもって６本形成されている。環状薄肉部５４は全体として６角形をなしている。半径方向薄肉部５２及び環状薄肉部５４の各々の残留肉厚はこの実施形態においては同一に規定されているが、半径方向薄肉部５２の各々の残留肉厚を環状薄肉部５４の残留肉厚よりも薄くして、半径方向薄肉部５２の各々が環状薄肉部５４よりも破断され易くする構成もある。
【００２０】
適宜の合成樹脂から一体に成形することができる閉塞体３２は、中央部６０、環状基部６２及び、中央部６０と環状基部６２との間に配設された弾性変形部６４を備えている。環状基部６２の周縁部は所定の厚さを有する被係止部６６を構成している。環状基部６２にはまたその内周縁から上方に延びる基部円筒壁６８が形成されている。中央部６０は中央部円筒壁７０及び被押圧部７２を備えている。中央部円筒壁７０の上端には半径方向内方に延びる中央部環状壁７４が形成されている。被押圧部７２は、中央部環状壁７４の内周縁から上方に延びる被押圧部円筒壁７６と、被押圧部円筒壁７６に接続された円形上壁７８とから構成されている。
【００２１】
弾性変形部６４は、環状基部６２の基部円筒壁６８の上端から半径方向内方に延びる下環状壁８０と、下環状壁８０の内周縁から上方に延びる中間円筒壁８２と、中間円筒壁８２の上端から半径方向内方に延びて中央部円筒壁７０に接続される上環状壁８４とを有している。下環状壁８０及び上環状壁８４は薄肉であって柔軟であるよう形成されている。なお中央部環状壁７４は図２に示す実施形態においては特に変形を要しないので、変形しにくい厚肉に形成されている。
【００２２】
閉塞体３２の環状基部６２が収容本体３０の筒状側壁３４の上端部内周面に密着した状態で嵌合されることにより、閉塞体３２は収容本体３０に対し一体的に装着される。更に具体的に説明すると、閉塞体３２の環状基部６２における被係止部６６が収容本体３０の筒状側壁３４における大径部４０の係止凹部４４に嵌合されて係止されることにより、閉塞体３２は収容本体３０に装着される。この装着は、閉塞体３２の環状基部６２を、収容本体３０の筒状側壁３４における上端開口から底壁３６に向けて押し込むだけの操作で遂行される。したがって収容体８は、組み立てがきわめて容易である。また閉塞体３２の環状基部６２における被係止部６６が収容本体３０の筒状側壁３４における大径部４０の係止凹部４４に嵌合されて係止されることに起因して、収容本体３０のシール性は高い精度で確保される。もちろん係止することに代えて溶着することにより、シール性を更に完全なものとしてもよい。閉塞体３２が収容本体３０に装着された状態で、閉塞体３２の環状基部６２の下面は、筒状側壁３４の水平段部４６上に載置されるので、閉塞体３２は充分に安定して保持せしめられる。閉塞体３２の収容本体３０に対する装着は、収容本体３０内に図示しない粉ミルクが所定量充填された後に遂行されることはいうまでもない。
【００２３】
中央部６０の内側にはカッタ部８６が形成されている。カッタ部８６は、中央部６０から収容本体３０の底壁３６における開封予定部５０に向かって延びかつ下端が開封予定部に所定の隙間をおいて対向するよう形成されている。更に具体的に説明すると、カッタ部８６は、下端にカッタ８７が形成された円筒部８８からなり、円筒部８８は、中央部円筒壁７０を下方に延長することにより形成されている。カッタ８７は円筒部８８の下端の周方向に沿って形成され、その形状は鋸刃状をなしている。
【００２４】
後述するように、収容体８が哺乳ビン４の口頸部１０に装着された状態で、被押圧部７２を開封予定部５０に向けて押圧すると、弾性変形部６４の変形によりカッタ部８６のカッタ８７が開封予定部５０に作用して（開封予定部５０を押圧して）薄肉部５２の各々が破断される。弾性変形部６４の変形について更に具体的説明すると、上記押圧力は、被押圧部７２の被押圧部円筒壁７６、中央部環状壁７４及び中央部円筒壁７０を介して弾性変形部６４の上環状壁８４の内周縁に作用する。中央部環状壁７４は先に述べたように変形しにくい厚肉に形成されているので、中央部６０（円形上壁７８、被押圧部円筒壁７６、中央部環状壁７４及び中央部円筒壁７０）は押し込みの当初、ほとんど変形することなく一体的に下方に変位する。上環状壁８４は、弾性変形部６４の中間部円筒壁８２の上端（上環状壁８４の外周縁）を支点として変形し、その内周縁が軸方向下方に移動する。前記押圧力は、更に弾性変形部６４の中間部円筒壁８２を介して下環状壁８０の内周縁に作用する。下環状壁８０は、環状基部６２の基部円筒壁６８の上端（下環状壁８０の外周縁）を支点として変形し、その内周縁が軸方向下方に移動する。
【００２５】
弾性変形部６４は、以上のように軸方向の力に比較的弱い上環状壁８４及び下環状壁８０から徐々に変形してゆく。カッタ部８６のカッタ８７が下降し、開封予定部５０を押圧して薄肉部５２の各々を破断せしめる。薄肉部５２の各々の破断により開封予定部５０は底壁３６から下方に変位せしめられる。被押圧部７２の更なる押し込みによって、中央部６０は弾性変形部６４の中間部円筒壁８２内に沈み込む形態でその移動が停止する。以上の押込操作により開封予定部５０は、環状薄肉部５４を支点としてその中央部が底壁３６から下方に旋回せしめられる形態で変位する。これにより底壁３６はその中央部が開封されて、粉ミルクが流出される。前記押圧を解除すると、弾性変形部６４は、その弾性による復元力により元の形状に戻され、被押圧部７２は元の位置に戻される。したがって上記押圧、押圧解除の操作を必要に応じて何度でも繰り返すことができるので、粉ミルクの残留を確実に防止することができる。
【００２６】
前記押圧操作の間、被押圧部７２は略当初の形状に保持されること、弾性変形部６４の変形による被押圧部７２の押圧方向が一定であること、弾性変形部６４が軸方向の力に比較的弱い上環状壁８４及び下環状壁８０から徐々に変形してゆくことによる適宜の押圧力により押圧操作を行い得ること等により、操作性はきわめて良好である。弾性変形部６４の上環状壁８４及び下環状壁８０は肉薄であって柔軟であるよう構成されており、充分容易に弾性的に変形されるので、操作性は一層向上する。弾性変形部６４は、下環状壁８０と、下環状壁８０の内周縁から上方に延びる中間円筒壁８２と、中間円筒壁８２の上端から半径方向内方に延びる上環状壁８４とを有する構成である故その復元性に優れ、押圧力が解除された後、的確なタイミングで確実に元の形状に復元することができる。
【００２７】
収容本体３０及び閉塞体３２はそれぞれ合成樹脂により一体成形することができ、しかも、収容体８は全体として部品点数が少ないので、低コストで製造することができる。収容体８はまた、上記した如く組み立てが容易であり、しかも高いシール性も確保される。更にまた、収容体８は、後述する如く、哺乳ビン４の口頸部１０内に容易にかつ離脱自在に装着できるの、粉ミルクを収容した状態で商品化が可能である。
【００２８】
図１〜図３を参照して、以上のように構成された収容体８は、哺乳ビン４に簡単に装着することができる。すなわち、収容体８を、乳首キャップ６が取り外された状態の哺乳ビン４（湯又は水が予め所定量充填されている）の口頸部１０からその内部に挿入すると、フランジ部４２が口頸部１０の上端面に載置される。筒状側壁３４の大径部４０の外周面は口頸部１０の内周面に対し相対移動自在に密着せしめられ、確実にシールされる。収容本体３０の、フランジ部４２より下方は口頸部１０内に挿入された状態で保持されるので、収容体８は、実質上口頸部１０内に離脱自在に装着される。次いで乳首キャップ６を口頸部１０に螺合することにより装着する。収容体８のフランジ部４２は乳首キャップ６の乳首２２におけるフランジ部２６によって口頸部１０の上端面に圧接されて保持される。以上の説明から容易に理解されるように、哺乳ビン４と収容体８と乳首キャップ６とは、これらをきわめて容易に一体にすることができる。したがってそれらが一体にせしめられた哺乳用混合容器２は携帯に著しく便利であり、取扱いが便利である。その結果、上記の哺乳用混合容器２は、例えば乗物内における哺乳等、緊急時の哺乳には使い易い。
【００２９】
哺乳用混合容器２の使用に際しては、哺乳ビン４から乳首キャップ６を取り外す。口頸部１０に装着された収容体８の閉塞体３２の被押圧部７２を収容本体３０の開封予定部５０に向けて指先で押圧すると、上記したように弾性変形部６４が変形し、カッタ部８６のカッタ８７が下降して開封予定部５０を押圧し、半径方向薄肉部５２の各々を破断せしめる。開封予定部５０は底壁３６から下方に変位し、底壁３６はその中央部が開封される。その結果、収容体８内の粉ミルクは哺乳ビン４内に流出されて湯又は水と混合せしめられる。底壁３６を開封した状態で哺乳ビン４を振動させることにより上記混合が促進される。収容体８内の粉ミルクを実質上残留することなく完全に哺乳ビン４内に流出させ、湯又は水と充分に混合せしめた後、口頸部１０から収容体８を取り外し、口頸部１０に乳首キャップ６を装着する。乳首キャップ６からカバーキャップ２４を取り外すことにより、授乳が可能となる。
【００３０】
以上の説明から容易に理解されるように、哺乳用混合容器２の使用に際しての一連の操作は簡単で便利である。また、収容体８が哺乳ビン４の口頸部１０に装着された状態で、閉塞体３２の中央部６０の被押圧部７２を開封予定部５０に向けて押圧することにより、収容体８内の粉ミルクを哺乳ビン４内に流出させることができるので、収容体８内に収容された粉ミルクを哺乳ビン４内に流出させるための操作が簡単で便利である。更にはまた、収容体８は実質上口頸部１０内に装着されるので、混合された物質（粉ミルクと湯又は水との混合体）が口頸部１０内から漏れ出すことがなく、口頸部１０の上端及びその上端部の外周面に付着、残留することがないので、衛生上の問題は全くない。更にはまた、閉塞体３２の被押圧部７２を開封予定部５０に向けて押圧することにより、薄肉部５２が破断され、開封予定部５０が底壁３６から下方に変位して底壁３６が開封されるので、収容体８内の粉ミルクの流出が充分円滑かつ確実に遂行され、したがって粉ミルクが残留することなく、粉ミルクに無駄を生ずることが防止される。更にはまた、上記の如く収容体８の収容本体３０におけるフランジ部４２を口頸部１０の上端面に載置するのみで収容体８を実質上口頸部１０内に離脱自在に装着できるので、既存の哺乳ビン４及び乳首キャップ６を変更することなく実用化することが可能である。したがって、全体として部品点数が少なく、製造コストが安い。更にはまた、収容体８の装着状態で乳首キャップ６を哺乳ビン４の口頸部１０に装着すると、収容体８のフランジ部４２は乳首２２のフランジ部２６によって口頸部１０の上端面に圧接されて保持されるので、構成が簡単でありながら高いシール性が確保される。なお上記実施形態とは逆に、収容体８に湯又は水を収容し、哺乳ビン４内に粉ミルクを収容する実施形態もある。
【００３１】
図４には、本発明に従って構成された混合容器である哺乳用混合容器２の他の実施形態が示されている。図４に示す哺乳用混合容器２が、図１に示す哺乳用混合容器２と相違するところは、収容体８のカッタ部８６の構成のみであり、その他の構成は実質上同一である。すなわち、図４に示す哺乳用混合容器２において、収容体８のカッタ部８６は、下端にカッタ８７が形成された円筒部８８に加えて更に、円筒部８８の内側を延びかつ下端にカッタ９０が形成されたロッド部９２を含んでいる。ロッド部９２のカッタ９０は、円筒部８８のカッタ８７よりも開封予定部５０に近接して位置付けられることが重要である。ロッド部９２のカッタ９０の形状は先端が尖った円錐形状をなしている。ロッド部９２は、被押圧部７２の円形上壁７８から垂下するよう形成されている。
【００３２】
収容体８の閉塞体３２の被押圧部７２を開封予定部５０に向けて指先で押圧すると、上記したように弾性変形部６４が変形し、最初にロッド部９２のカッタ９０が開封予定部５０の中心を押圧して半径方向薄肉部５２の各々の軸心側端部を破断する。次に円筒部８８のカッタ８７が開封予定部５０を押圧し、半径方向薄肉部５２の各々を破断せしめる。開封予定部５０は底壁３６から下方に変位し、底壁３６はその中央部が開封される。上記説明から容易に理解されるように、この哺乳用混合容器２においては、開封予定部５０の開封は、ロッド部９２のカッタ９０が半径方向薄肉部５２の各々の軸心側端部を破断した後に、円筒部８８のカッタ８７が開封予定部５０に作用することにより遂行されるので、半径方向薄肉部５２の各々の破断は、図２及び図３の収容体８に較べてより円滑に行なわれる。ロッド部９２のカッタ９０の形状は先端が尖った円錐形状をなし、しかもこの先端が最初に半径方向薄肉部５２の各々の軸心側端部を押圧するので、押圧操作の初期の破断が容易であり、後に続く破断を一層容易にせしめる。
【００３３】
開封予定部５０を開封するに際し、ロッド部９２のカッタ９０を、円筒部８８のカッタ８７よりも先に開封予定部５０に作用させるために、ロッド部９２のカッタ９０は、円筒部８８のカッタ８７よりも開封予定部５０に近接して位置付けられているが、それに加えて更に、収容体８の閉塞体３２の中央部６０（図２参照）の中央部環状壁７４を薄肉であって柔軟に形成することが好ましい。このように構成することによって、被押圧部７２を開封予定部５０に向けて指先で押圧すると、中央部環状壁７４が中央部円筒壁７０の上端を支点として変形し、その軸方向下方に移動するので、ロッド部９２のカッタ９０は円筒部８８のカッタ８７よりも一層先行し易くなる。更に、ロッド部９２のカッタ９０が半径方向薄肉部５２の各々の軸心側端部を破断し、次いで円筒部８８のカッタ８７が開封予定部５０を押圧しはじめた際、円筒部８８のカッタ８７に作用する開封予定部５０の抵抗により、中央部環状壁７４はより変形し易くなり、ロッド部９２のカッタ９０による破断作用が促進される。その結果、開封予定部５０全体の開封がより円滑に遂行される。
【００３４】
以上、本発明を実施形態に基づいて添付図面を参照しながら詳細に説明したが、本発明は上記実施形態に限定されるものではなく、本発明の範囲を逸脱することなく、更に他の種々の変形あるいは修正が可能である。例えば、本発明を哺乳用混合容器２に適用した実施形態について説明したが、本発明は哺乳用混合容器２に限定される理由はなく、医薬品、飲料、その他適宜の二物質を混合する容器及びそれに使用される物質収容体に適用されることはいうまでもない。その場合、哺乳ビン４は他の適宜の容器本体に置き換えられ、また乳首キャップ６は他の適宜の蓋体に置き換えられることはいうまでもない。また、図２に示すカッタ部８６は、中央円筒壁７０から下方に垂下する円筒部８８の下端にカッタ８７を形成することによって構成されているが、これに代えて、例えば、ロッド部９２を柱状部とし、この柱状部の外周面に周方向に等間隔をおいてかつ半径方向外方に延びると共に柱状部の軸線方向に延在する４つの突出部を形成し、突出部の下端に適宜の形状を有するカッタを形成する実施形態も考えられる（このカッタ部は断面が十字状となる）。この実施形態において、ロッド部９２の下端のカッタ９０は、突出部の下端のカッタよりも開封予定部５０に近接して位置付けられる。この構成によって、ロッド部９２の下端のカッタ９０が開封予定部５０の薄肉部５２を破断した後に、突出部の下端のカッタが開封予定部５０に作用し、開封作用を効果的にせしめる。
【００３５】
【発明の効果】
本発明によれば、携帯に著しく便利で取扱いが便利である、乗物内における哺乳等、緊急時の哺乳には使い易い、使用に際しての一連の操作が簡単で便利である、第二の物質を容器本体内に流出させるための操作が簡単で便利である、第二の物質の流出が充分円滑かつ確実に遂行され、したがって第二の物質が残留することなく、第二の物質に無駄を生ずることが防止される、衛生的である、部品点数が少なく、製造コストが安い、構成が簡単でありながらシール性が高い、等の優れた効果が得られる。
【図面の簡単な説明】
【図１】本発明に従って構成された混合容器の実施形態を正面から見た図であって、要部を破断して示す図。
【図２】図１に示す混合容器に使用される物質収容体の断面図。
【図３】図２を下面から見た縮小図。
【図４】本発明に従って構成された混合容器の他の実施形態を正面から見た図であって、要部を破断して示す図。
【符号の説明】
２  哺乳用混合容器
４  哺乳ビン
６  乳首キャップ
８  粉ミルク収容体
１０  口頸部
２２  乳首
３０  収容本体
３２  閉塞体
４２  フランジ部
６０  中央部
６４  弾性変形部
７２  被押圧部
８６  カッタ部
８７  カッタ
８８  円筒部
９０  カッタ
９２  ロッド部
【図１】
0004301594.tif 000002
【図２】
0004301594.tif 000003
【図３】
0004301594.tif 000004
【図４】
0004301594.tif 000005